(57)【要約】      （修正有）【課題】無線端末のソフトウェアを効率よく更新する。【解決手段】基地局と、基地局とデータ通信する１以上の無線端末との間で、基地局から送信されたソフトウェア情報を無線端末が受信して更新する無線端末のソフトウェア更新方法において、基地局はソフトウェア情報を無線端末へ同報配信する第１のステップと、無線端末は同報配信されたソフトウェア情報の更新の成否を基地局へ個別応答する第２のステップと、基地局は、無線端末からの個別応答によりソフトウェア情報の更新に失敗した無線端末の数（失敗端末数）を計数し、当該失敗端末数が所定値以上であれば第１のステップに戻り、当該失敗端末数が所定値未満であれば次の第４のステップに進む第３のステップと、基地局はソフトウェア情報の更新に失敗した無線端末へ個別配信する第４のステップと、無線端末は個別配信されたソフトウェア情報の更新の成否を基地局へ個別応答する第５のステップとを有する。【選択図】図１
2011135281.tif 000002
【特許請求の範囲】
【請求項１】
基地局と、基地局とデータ通信する１以上の無線端末との間で、基地局から送信されたソフトウェア情報を無線端末が受信して更新する無線端末のソフトウェア更新方法において、
前記基地局は、前記ソフトウェア情報を前記無線端末へ同報配信する第１のステップと、
前記無線端末は、同報配信された前記ソフトウェア情報の更新の成否を前記基地局へ個別応答する第２のステップと、
前記基地局は、前記無線端末からの個別応答により前記ソフトウェア情報の更新に失敗した無線端末の数（以下、「失敗端末数」という）を計数し、当該失敗端末数が所定値以上であれば前記第１のステップに戻り、当該失敗端末数が所定値未満であれば次の第４のステップに進む第３のステップと、
前記基地局は、前記ソフトウェア情報の更新に失敗した無線端末へ個別配信する第４のステップと、
前記無線端末は、個別配信された前記ソフトウェア情報の更新の成否を前記基地局へ個別応答する第５のステップと
を有することを特徴とする無線端末のソフトウェア更新方法。
【請求項２】
請求項１に記載の無線端末のソフトウェア更新方法において、
前記第２のステップは、同報配信された前記ソフトウェア情報の更新に失敗した無線端末のみが前記基地局へ個別応答する
ことを特徴とする無線端末のソフトウェア更新方法。
【請求項３】
基地局と、基地局とデータ通信する１以上の無線端末との間で、基地局から送信されたソフトウェア情報を無線端末が受信して更新する無線端末のソフトウェア更新方法において、
前記基地局は、前記ソフトウェア情報を前記無線端末へ同報配信する第１のステップと、
前記無線端末は、同報配信された前記ソフトウェア情報の更新の成否を前記基地局へ個別応答する第２のステップと、
前記基地局は、前記無線端末からの個別応答により前記ソフトウェア情報の更新に成功した無線端末の数（以下、「成功端末数」という）を計数し、当該成功端末数が所定値未満であれば前記第１のステップに戻り、当該成功端末数が所定値以上であれば次の第４のステップに進む第３のステップと、
前記基地局は、前記ソフトウェア情報の更新に失敗した無線端末へ個別配信する第４のステップと、
前記無線端末は、個別配信された前記ソフトウェア情報の更新の成否を前記基地局へ個別応答する第５のステップと
を有することを特徴とする無線端末のソフトウェア更新方法。
【請求項４】
請求項３に記載の無線端末のソフトウェア更新方法において、
前記第２のステップは、同報配信された前記ソフトウェア情報の更新に成功した無線端末のみが前記基地局へ個別応答し、
前記第４のステップは、基地局配下の全無線端末のうち前記ソフトウェア情報の更新に成功した無線端末以外の無線端末を前記ソフトウェア情報の更新に失敗した無線端末とみなす
ことを特徴とする無線端末のソフトウェア更新方法。
【請求項５】
請求項１または請求項３に記載の無線端末のソフトウェア更新方法において、
前記基地局および前記無線端末は、予め設定したソフトウェア更新日時に前記第１のステップの同報配信の処理を開始する
ことを特徴とする無線端末のソフトウェア更新方法。
【請求項６】
請求項１または請求項３に記載の無線端末のソフトウェア更新方法において、
前記第１のステップは、前記ソフトウェア情報の同報配信の際に、ソフトウェアのバージョン情報を前記無線端末へ送信し、
前記第２のステップは、前記バージョン情報に基づいてソフトウェア更新が必要な無線端末が前記ソフトウェア情報を受信する
ことを特徴とする無線端末のソフトウェア更新方法。
【請求項７】
請求項１または請求項３に記載の無線端末のソフトウェア更新方法において、
前記第４のステップと前記第５のステップを繰り返し、前記ソフトウェア情報の更新に失敗した回数が所定値以上になった前記無線端末に対して前記基地局は個別配信を停止し、当該無線端末を不具合端末として記憶する
ことを特徴とする無線端末のソフトウェア更新方法。
【請求項８】
基地局と、基地局とデータ通信する１以上の無線端末との間で、基地局から送信されたソフトウェア情報を無線端末が受信して更新する無線ネットワークにおいて、
前記基地局は、請求項１に記載の第１のステップ、第３のステップおよび第４のステップを実行する手段を備え、
前記無線端末は、請求項１に記載の第２のステップ、第５のステップを実行する手段を備えた
ことを特徴とする無線ネットワーク。
【請求項９】
基地局と、基地局とデータ通信する１以上の無線端末との間で、基地局から送信されたソフトウェア情報を無線端末が受信して更新する無線ネットワークにおいて、
前記基地局は、請求項３に記載の第１のステップ、第３のステップおよび第４のステップを実行する手段を備え、
前記無線端末は、請求項３に記載の第２のステップ、第５のステップを実行する手段を備えた
ことを特徴とする無線ネットワーク。
【発明の詳細な説明】
【技術分野】
【０００１】
本発明は、センサ群のような多数の無線端末を配置する無線ネットワークにおいて、無線端末のソフトウェアを効率よく更新するための更新方法に関する。
【背景技術】
【０００２】
現在、多数の無線端末を配置する無線ネットワークにおいて、無線端末のソフトウェアの更新を行う際には、無線ネットワークを介して遠隔的にソフトウェアの更新処理を行っているものが多い。これを実現する方法あるいは装置構成として、例えば、図８に示すように基地局１１から各無線端末１２に対して更新するソフトウェアの情報（以下、「ソフトウェア情報」という）を個別配信するもの（特許文献１）や、図９に示すように基地局１１から無線端末１２に対してソフトウェア情報を同報配信するもの（特許文献２）が提案されている。
【０００３】
なお、個別配信では各無線端末からの個別応答により更新失敗となった無線端末に対して再送が行われるが、従来の同報配信では個別応答がないので再送は行われない。ここで、無線端末１２ａはソフトウェア情報の個別配信または同報配信に対して更新に成功した無線端末とし、無線端末１２ｂは更新に失敗した無線端末とし、無線端末１２ｃは応答なしの無線端末とする。
【先行技術文献】
【特許文献】
【０００４】
【特許文献１】特開平９−３３１５７９号公報
【特許文献２】特開２００３−１９８４５０号公報
【発明の概要】
【発明が解決しようとする課題】
【０００５】
図８に示すように、各無線端末に対して更新するソフトウェア情報を個別配信するものでは、無線ネットワークに収容される無線端末数に応じて基地局の通信回数が多くなる。したがって、多数の無線端末が存在する場合、各無線端末との通信速度が遅い場合、ソフトウェア情報のデータ量が大きい場合などに、無線ネットワークへの圧迫が大きな問題となる。
【０００６】
また、図９に示すように、各無線端末に対してソフトウェア情報を同報配信するものでは、各無線端末からの個別応答がないので、例えば同報配信時期を逃した無線端末や更新に失敗した無線端末はそのまま放置されることがあった。特に、ソフトウェアがファームウェアなどの重要な更新物であった場合に、全ての無線端末のソフトウェアを確実に更新する必要があるが、更新できなかった無線端末が放置されることにより、無線端末や無線ネットワークに多大な影響を及ぼす可能性があった。
【０００７】
本発明は、無線端末のソフトウェアを効率よく確実に更新することができる無線端末のソフトウェア更新方法および無線ネットワークを提供することを目的とする。
【課題を解決するための手段】
【０００８】
第１の発明は、基地局と、基地局とデータ通信する１以上の無線端末との間で、基地局から送信されたソフトウェア情報を無線端末が受信して更新する無線端末のソフトウェア更新方法において、基地局は、ソフトウェア情報を無線端末へ同報配信する第１のステップと、無線端末は、同報配信されたソフトウェア情報の更新の成否を基地局へ個別応答する第２のステップと、基地局は、無線端末からの個別応答によりソフトウェア情報の更新に失敗した無線端末の数（以下、「失敗端末数」という）を計数し、当該失敗端末数が所定値以上であれば第１のステップに戻り、当該失敗端末数が所定値未満であれば次の第４のステップに進む第３のステップと、基地局は、ソフトウェア情報の更新に失敗した無線端末へ個別配信する第４のステップと、無線端末は、個別配信されたソフトウェア情報の更新の成否を基地局へ個別応答する第５のステップとを有する。
【０００９】
第１の発明における第２のステップは、同報配信されたソフトウェア情報の更新に失敗した無線端末のみが基地局へ個別応答するようにしてもよい。
【００１０】
第２の発明は、基地局と、基地局とデータ通信する１以上の無線端末との間で、基地局から送信されたソフトウェア情報を無線端末が受信して更新する無線端末のソフトウェア更新方法において、基地局は、ソフトウェア情報を無線端末へ同報配信する第１のステップと、無線端末は、同報配信されたソフトウェア情報の更新の成否を基地局へ個別応答する第２のステップと、基地局は、無線端末からの個別応答によりソフトウェア情報の更新に成功した無線端末の数（以下、「成功端末数」という）を計数し、当該成功端末数が所定値未満であれば第１のステップに戻り、当該成功端末数が所定値以上であれば次の第４のステップに進む第３のステップと、基地局は、ソフトウェア情報の更新に失敗した無線端末へ個別配信する第４のステップと、無線端末は、個別配信されたソフトウェア情報の更新の成否を基地局へ個別応答する第５のステップとを有する。
【００１１】
第２の発明における第２のステップは、同報配信されたソフトウェア情報の更新に成功した無線端末のみが基地局へ個別応答し、第４のステップは、基地局配下の全無線端末のうちソフトウェア情報の更新に成功した無線端末以外の無線端末をソフトウェア情報の更新に失敗した無線端末とみなすようにしてもよい。
【００１２】
第１の発明または第２の発明の無線端末のソフトウェア更新方法において、基地局および無線端末は、予め設定したソフトウェア更新日時に第１のステップの同報配信の処理を開始するようにしてもよい。
【００１３】
第１の発明または第２の発明の無線端末のソフトウェア更新方法において、第１のステップは、ソフトウェア情報の同報配信の際に、ソフトウェアのバージョン情報を無線端末へ送信し、第２のステップは、バージョン情報に基づいてソフトウェア更新が必要な無線端末がソフトウェア情報を受信するようにしてもよい。
【００１４】
第１の発明または第２の発明の無線端末のソフトウェア更新方法において、第４のステップと第５のステップを繰り返し、ソフトウェア情報の更新に失敗した回数が所定値以上になった無線端末に対して基地局は個別配信を停止し、当該無線端末を不具合端末として記憶するようにしてもよい。
【００１５】
第３の発明は、基地局と、基地局とデータ通信する１以上の無線端末との間で、基地局から送信されたソフトウェア情報を無線端末が受信して更新する無線ネットワークにおいて、基地局は、第１の発明における第１のステップ、第３のステップおよび第４のステップを実行する手段を備え、無線端末は、第１の発明における第２のステップ、第５のステップを実行する手段を備える。
【００１６】
第４の発明は、基地局と、基地局とデータ通信する１以上の無線端末との間で、基地局から送信されたソフトウェア情報を無線端末が受信して更新する無線ネットワークにおいて、基地局は、第２の発明におけに第１のステップ、第３のステップおよび第４のステップを実行する手段を備え、無線端末は、第２の発明における第２のステップ、第５のステップを実行する手段を備える。
【発明の効果】
【００１７】
本発明によれば、基地局から複数の無線端末へソフトウェア情報を同報配信し、各無線端末が基地局へソフトウェア更新の成否を個別応答し、さらにソフトウェア更新の同報配信に対して更新に失敗した無線端末が多い場合（更新に成功した無線端末が少ない場合）に同報配信を繰り返し、逆の場合に更新に失敗した無線端末に対してソフトウェア情報を個別配信することにより、ソフトウェア更新に伴う無線回線への圧迫を抑えつつ確実かつ短期間にソフトウェア更新作業を行うことができる。
【図面の簡単な説明】
【００１８】
【図１】本発明の実施例１の無線ネットワークの構成例を示す図である。
【図２】実施例１の基地局の処理手順例を示すフローチャートである。
【図３】実施例２の基地局の処理手順例を示すフローチャートである。
【図４】本発明の実施例４の無線ネットワークの構成例を示す図である。
【図５】本発明の実施例５の無線ネットワークの構成例を示す図である。
【図６】本発明の無線ネットワークの基地局１１の構成例を示す図である。
【図７】本発明の無線ネットワークの無線端末１２の構成例を示す図である。
【図８】従来の無線ネットワークの第１の構成例を示す図である。
【図９】従来の無線ネットワークの第２の構成例を示す図である。
【発明を実施するための形態】
【実施例１】
【００１９】
図１は、本発明の実施例１の無線ネットワークの構成例を示す。図２は、実施例１の基地局の処理手順例を示す。
【００２０】
図１において、本実施例の無線ネットワークは、基地局１１と通信可能な無線セル内に複数の無線端末１２ａ，１２ｂ，１２ｃが配置される。基地局１１は、無線端末のソフトウェア情報を同報配信または個別配信により送信し、各無線端末は同報配信または個別配信されたソフトウェア情報の更新処理を行い、その更新の成否を基地局１１へ個別応答する構成である。ここで、無線端末１２ａはソフトウェア情報の同報配信に対して更新に成功し、「成功」の個別応答をした無線端末とし、無線端末１２ｂはソフトウェア情報の同報配信に対して更新に失敗し、「失敗」の個別応答をした無線端末とし、無線端末１２ｃはソフトウェア情報の同報配信に対して応答なしの無線端末とする。なお、応答なしの無線端末１２ｃとしては、故障等によって受信ができない場合、更新に成功または失敗しても個別応答に失敗した場合などがあるが、基地局１１が同報配信した全無線端末を認識している場合には、このような無線端末を更新に失敗した無線端末として扱う。
【００２１】
本実施例は、ソフトウェア情報の同報配信に対して更新に失敗した無線端末１２ｂ（１２ｃ）の数が閾値Ａより多い場合に同報配信を繰り返し、更新に失敗した無線端末１２ｂ（１２ｃ）の数が閾値Ａより少ない場合に、その無線端末に対してソフトウェア情報の個別配信を行うことを特徴とする。そのために、基地局１１は、同報配信に対する各無線端末からの個別応答を記録し、更新に失敗した無線端末の数を集計し、更新に失敗した無線端末のリストを作成する機能を備える。
【００２２】
以下、実施例１の基地局の処理手順について図２を参照して具体的に説明する。
基地局は、配下の無線端末に対して、そのソフトウェアを更新するためのソフトウェア情報を同報配信する（Ｓ１）。なお、同報配信には所定の送信周期が規定されており、基地局は外部からのトリガ信号または基地局がもつ時計機能により同報配信のタイミングを制御する。基地局は、その同報配信のタイミングで、まず同報配信によりソフトウェアのバージョンアップを行う宣言と新しいソフトウェアのバージョンを各無線端末に同報配信し、さらに更新するソフトウェア情報を同報配信する手順となる。基地局配下の各無線端末は、同報配信されたソフトウェア情報を受信し、ＣＲＣチェック等により誤りなく受信できたソフトウェア情報に基づいて更新処理を行い、ソフトウェア情報の更新の成否を示す個別応答を返信する。
【００２３】
基地局は、同報配信に対する各無線端末からの個別応答を受信し、所定時間内に個別応答がなかった無線端末も含めて更新に失敗した無線端末の数（失敗端末数）を集計する（Ｓ２）。なお、本集計では、更新失敗を応答した無線端末の数および個別応答がなくタイムアウトした無線端末の数を失敗端末数としてカウントしてもよいし、更新成功を応答した無線端末の数をカウントして配下の無線端末の合計数から引いた数としてもよい。次に、失敗端末数が閾値Ａ未満か否かを判定し（Ｓ３）、失敗端末数が閾値Ａ以上であれば（Ｓ３：No）、ステップＳ１の同報配信の処理に戻る。この場合には、すでに更新に成功した無線端末に対してもソフトウェア情報の同報配信が繰り返されることになるので、このような無線端末はあらかじめ通知されるバージョンに対して更新成功の個別応答のみを行い、ソフトウェア情報の受信処理自体は行わずに無線端末の消費電力を低減するようにしてもよい。
【００２４】
一方、失敗端末数が閾値Ａ未満であれば（Ｓ３：Yes ）、更新に失敗した無線端末のリストを作成する（Ｓ４）。なお、本リストには、更新失敗を応答した無線端末および個別応答が到着せずにタイムアウトした無線端末を掲載してもよいし、配下の全無線端末から更新成功を応答した無線端末を除いた無線端末を掲載してもよい。
【００２５】
次に、基地局は、このリストに掲載された無線端末に対してソフトウェア情報の個別配信を行う（Ｓ５）。なお、基地局は、個別配信によりソフトウェアのバージョンアップを行う宣言と新しいソフトウェアのバージョンをリスト掲載の無線端末に個別配信し、さらに更新するソフトウェア情報を個別配信する手順となる。個別配信された各無線端末は、誤りなく受信できたソフトウェア情報に基づいて更新処理を行い、ソフトウェア情報の更新の成否を示す個別応答を行う。
【００２６】
基地局は、個別配信に対する無線端末からの個別応答を受信し（Ｓ６）、所定時間内に個別応答がなかった無線端末も含めて更新に失敗した無線端末を認識する（Ｓ７）。ここで、更新に成功した無線端末に対してはリストから削除し（Ｓ８）、リスト掲載の他の無線端末があればその無線端末に対する個別配信に戻る（Ｓ９、Ｓ５）。一方、更新に失敗した無線端末については失敗回数を積算し（Ｓ10）、失敗回数が閾値Ｂ以上か否かを判定し（Ｓ11）、失敗回数が閾値Ｂ未満であれば個別配信に戻る（Ｓ５）。一方、失敗回数が閾値Ｂ以上になった無線端末に対してはリストから削除し（Ｓ８）、リスト掲載の他の無線端末があればその無線端末に対する個別配信に戻る（Ｓ９、Ｓ５）。なお、個別配信による更新の失敗回数が閾値Ｂ以上になって個別配信のリストから削除された無線端末については、不具合端末として記録するようにしてもよい。以上のように、個別配信のリストに掲載された全無線端末に対して、更新が成功するかまたは失敗回数が閾値Ｂ以上になるまで個別配信を繰り返し、それが終了した時点で基地局の処理を終了する。
【００２７】
例えば、センサネットワークのように１つの基地局に無線端末が１万個程度収容される無線ネットワークでは、同報配信で総数の５％がソフトウェア更新に失敗する場合を想定する。同報配信のみを行う場合では 500個の無線端末が更新できずに不具合を発生する可能性があり、個別配信のみを行う場合ではソフトウェアの送信回数は最低でも１万回必要になる。また、１回の同報配信後に更新失敗の 500個の無線端末に対して個別配信を行う場合には、最低でも 501回の通信が必要になる。
【００２８】
一方、本実施例において、同報配信を繰り返すか否かの閾値Ａを「50」とすると、最初の同報配信では失敗数が 500個となって同報配信を繰り返すが、次に更新失敗となるのは25個であるので、この25個の無線端末に対して個別配信を行えばよい。すなわち、２回の同報配信と25回の個別配信を行い、後は個別配信で更新失敗した無線端末に対して個別配信を繰り返せばよいので、回線にかかる負荷を低減しつつ、同報配信で問題となるソフトウェア更新の失敗による不具合の発生を防ぐことが可能となる。また、不具合端末情報をデータベース化しておくことにより、個々の無線端末のメンテナンスの必要性を把握し、円滑な作業が可能となる。
【実施例２】
【００２９】
実施例２は、図１に示す無線ネットワークの構成において、ソフトウェア情報の同報配信に対して更新に成功した無線端末１２ａの数が閾値Ｃより少ない場合に同報配信を繰り返し、更新に成功した無線端末１２ａの数が閾値Ｃより多い場合に、更新に失敗した無線端末に対してソフトウェア情報の個別配信を行うことを特徴とする。そのために、基地局１１は、同報配信に対する各無線端末からの個別応答を記録し、更新に成功した無線端末を集計する機能と、更新に失敗した無線端末を判別してリストを作成する機能を備える。  
【００３０】
図３は、実施例２の基地局の処理手順例を示す。
基地局は、配下の無線端末に対して、そのソフトウェアを更新するためのソフトウェア情報を同報配信する（Ｓ１）。基地局配下の各無線端末は、同報配信されたソフトウェア情報を受信し、ＣＲＣチェック等により誤りなく受信できたソフトウェア情報に基づいて更新処理を行い、ソフトウェア情報の更新の成否を示す個別応答を返信する。
【００３１】
基地局は、同報配信に対する各無線端末からの個別応答を受信し、更新に成功した無線端末の数（成功端末数）を集計する（Ｓ２’）。次に、成功端末数が閾値Ｃ以上か否かを判定し（Ｓ３’）、成功端末数が閾値Ｃ未満であれば（Ｓ３’：No）、ステップＳ１の同報配信の処理に戻る。
【００３２】
一方、成功端末数が閾値Ｃ以上であれば（Ｓ３’：Yes ）、更新に失敗した無線端末を判別してそのリストを作成する（Ｓ４’）。ここでは、更新失敗を応答した無線端末および所定時間内に個別応答がなかった無線端末を含めて更新に失敗した無線端末として判別してリストに掲載してもよいし、また更新に成功した無線端末以外の無線端末を更新に失敗した無線端末として判別してリストに掲載してもよい。
【００３３】
基地局は、このリストに掲載された無線端末に対してソフトウェア情報の個別配信を行うが（Ｓ５）、上記ステップＳ２’，Ｓ３’，Ｓ４’以外の処理は図２に示す実施例１と同じである。
【実施例３】
【００３４】
実施例１または実施例２において、同報配信を行う際に、基地局と無線端末が備えている時計機能を用いてスケジューリングを行い、予め更新日時を設定しておいてソフトウェア更新を行うようにしてもよい。これにより、無線端末の使用者に対して事前に通信トラフィック状態を伝えることや、データ通信の頻度の少ない時間に同報配信による更新作業が可能になる。また、特に無線端末から基地局への呼び出しを行って通信を開始するような端末契機型ネットワークでは、同報配信時の同期が行いやすくなり、同報配信時の更新漏れを回避することができる。
【実施例４】
【００３５】
図４は、本発明の実施例４の無線ネットワークの構成例を示す。
本実施例は、ソフトウェア情報の同報配信に対して更新に失敗した無線端末１２ｂのみが基地局１１に対して個別応答を行い、更新に成功した無線端末１２ａは個別応答しない構成である。そして、更新に失敗した無線端末１２ｂの数が閾値Ａより多い場合に同報配信を繰り返し、更新に失敗した無線端末１２ｂの数が閾値Ａより少ない場合に、その無線端末に対してソフトウェア情報の個別配信を行うことを特徴とする。そのために、基地局１１は、同報配信に対する各無線端末からの個別応答を記録し、更新に失敗した無線端末の数を集計し、更新に失敗した無線端末のリストを作成する機能を備える。
【００３６】
本実施例は、図２に示す実施例１の基地局の処理手順を利用できるが、無線回線の品質が良好である場合など、ソフトウェア情報の同報配信に対して更新に失敗した無線端末１２ｂが相対的に少ない場合に、無線端末から基地局への応答回数を減らすことに有効である。なお、本実施例では、応答なしの無線端末１２ｃは更新に成功したものと見なされることになる。もし、この無線端末１２ｃが更新に失敗していれば、後の個別配信でも更新処理が行われないことになるが、既存のライブチェック処理等によりソフトウェアの更新処理は可能である。
【実施例５】
【００３７】
図５は、本発明の実施例５の無線ネットワークの構成例を示す。
本実施例は、ソフトウェア情報の同報配信に対して更新に成功した無線端末１２ａのみが基地局１１に対して個別応答を行い、更新に失敗した無線端末１２ｂは個別応答しない構成である。そして、更新に成功した無線端末１２ａの数が閾値Ｃより少ない場合に同報配信を繰り返し、更新に成功した無線端末１２ａの数が閾値Ｃより多い場合に、更新に失敗した無線端末に対してソフトウェア情報の個別配信を行うことを特徴とする。そのために、基地局１１は、同報配信に対する各無線端末からの個別応答を記録し、更新に成功した無線端末の数を集計し、更新に失敗した無線端末を判別してリストを作成する機能を備える。
【００３８】
本実施例は、図３に示す実施例２の基地局の処理手順を利用できるが、同報配信中の基地局の不具合や広域に渡る通信障害がある場合など、ソフトウェア情報の同報配信に対して更新に成功した無線端末１２ａが相対的に少ない場合に、無線端末から基地局への応答回数を減らすことに有効である。
【００３９】
（基地局および無線端末の構成例）
図６は、本発明の無線ネットワークの基地局１１の構成例を示す。
図６において、基地局１１は、無線送受信器２１、ソフトウェア情報蓄積メモリ２２および制御部２３により構成される。
【００４０】
無線送受信器２１は、無線端末１２との無線通信を行うモジュールである。ソフトウェア情報蓄積メモリ２２は、無線端末１２のソフトウェア更新に際し、ソフトウェア情報をあらかじめ蓄積しておくメモリである。制御部２３は、無線端末１２のソフトウェア更新に際し、基地局１１の無線送受信器２１やソフトウェア情報蓄積メモリ２２を直接制御する。基地局１１は、この他に通常のデータ通信を行う機能を有する。通常のデータ通信を行う機能とは、データ信号が外部から基地局１１に入力された場合、これを符号化・変調して無線信号として無線端末１２に送信し、無線端末１２から基地局１１に送信された無線信号を受信し、これを復調・復号化して基地局１１から外部に出力する機能である。この通常のデータ通信を行う機能は、本発明の特徴と関連しないことから説明を省略する。
【００４１】
上記の実施例１〜実施例５に示した本発明の特徴とする機能は、無線送受信器２１、ソフトウェア情報蓄積メモリ２２および制御部２３において実行される。
【００４２】
図７は、本発明の無線ネットワークの無線端末１２の構成例を示す。
図７において、無線端末１２は、無線送受信器３１、情報処理部３２、センサ部３３、ソフトウェア情報蓄積メモリ３４および制御部３５により構成される。
【００４３】
無線送受信器３１は、基地局１１との無線通信を行うモジュールである。ソフトウェア情報蓄積メモリ３４は、無線端末１２のソフトウェア更新に際し、同報配信または個別配信されたソフトウェア情報を一旦蓄積しておくメモリである。制御部３５は、無線端末１２のソフトウェア更新に際し、無線送受信器３１、ソフトウェア情報蓄積メモリ３４、情報処理部３２を直接制御する。無線端末１２は、この他に情報処理部３２が通常のデータ通信・処理を行う機能を有する。通常のデータ通信・処理を行う機能とは、センサ部３３が検知した情報を情報処理部３２が処理した上でデータ信号として無線送受信器３１に送信し、無線送受信器３１はこれを符号化・変調して無線信号として基地局１１に送信し、基地局１１から無線信号として送信されたデータ信号を無線送受信器３１が復調・復号化して情報処理部３２に送信し、情報処理部３２はこれを処理した上で制御部３５を操作する機能で。
【００４４】
ここで、センサ部３３が検知するのは温度・湿度・電圧などの情報であり、情報処理装部３２はそれを平均化・平滑化したり送信タイミングを調整したりするものである。また、制御部３５はセンサ部３３のスイッチや電流源などを含み、情報処理部３２はその操作タイミングや順序を制御するものである。また、情報処理部３２における処理手順はそこに書き込まれたソフトウェアに依存する。したがって、無線端末１２の内、情報処理部３２のソフトウェアを更新すれば、センサ部３３や制御部３５の処理手順を更新することが可能となる。この通常のデータ通信・処理を行う機能の内、変調・符号化、復調・復号化は従来技術の構成であり、またセンサ部３３、制御部３５、情報処理部３２の処理内容（ソフトウェア）は、そのつど変更される設計事項であり、本発明の特徴と関連しないことから説明を省略する。
【００４５】
上記の実施例１〜実施例５に示した本発明の特徴とする機能は、無線送受信器３１、ソフトウェア情報蓄積メモリ３４および制御部３５において実行される。
【符号の説明】
【００４６】
１１  基地局
１２  無線端末
２１，３１  無線送受信器
２２，３４  ソフトウェア情報蓄積メモリ
２３，３５  制御部
３２  情報処理部
３３  センサ部
【図１】
2011135281.tif 000003
【図２】
2011135281.tif 000004
【図３】
2011135281.tif 000005
【図４】
2011135281.tif 000006
【図５】
2011135281.tif 000007
【図６】
2011135281.tif 000008
【図７】
2011135281.tif 000009
【図８】
2011135281.tif 000010
【図９】
2011135281.tif 000011